(57)【要約】      （修正有）【課題】スポンジを載置したスポンジ載置プレートを上下動可能に支持することにより、スポンジに容易に洗剤を浸透させることが可能なスポンジラックを提供する。【解決手段】洗剤を含む液体を収容可能な深さを有する容器形状をしたラック本体２と、ラック本体内に収容されると共に、スポンジ載置面４ａとその裏面４ｂとを連通させる複数の開口部４ｃが形成されたスポンジ載置プレート４と、ラック本体２の底壁とスポンジ載置プレートとの間に設けられて、スポンジ載置プレートをラック本体の深さ方向に移動可能に支持する弾性部材５と、を備える。【選択図】図１
0003188585.tif 000002
【実用新案登録請求の範囲】
【請求項１】
洗剤を含む液体を収容可能な深さを有する容器形状をしたラック本体と、
前記ラック本体内に収容されると共に、スポンジ載置面とその反対面とを連通させる少なくとも一つの開口部が形成されたスポンジ載置プレートと、
前記ラック本体の底壁と前記スポンジ載置プレートとの間に設けられて、前記スポンジ載置プレートを前記ラック本体の深さ方向に移動可能に支持する弾性部材と、
を備えた洗剤吸着機能付スポンジラック。
【請求項２】
前記弾性部材は、円弧状の板バネである、
請求項１に記載の洗剤吸着機能付スポンジラック
【請求項３】
前記ラック本体は、透明または半透明である、
請求項１または２に記載の洗剤吸着機能付スポンジラック。
【請求項４】
前記ラック本体の外壁には、吸盤が備えられている、
請求項１から３のいずれか１項に記載の洗剤吸着機能付スポンジラック。
【考案の詳細な説明】
【技術分野】
【０００１】
本考案は、例えば台所などで使用するスポンジと洗剤とを収容するスポンジラックに関する。
【背景技術】
【０００２】
従来、台所洗剤を入れるための容器と、その容器内にスポンジを載置するためのスポンジ載置網とを備え、スポンジ載置網上のスポンジを下に押し付けることでスポンジと容器内の洗剤とを接触させ、スポンジに洗剤を浸透させる構造のスポンジラックが存在している。このようなスポンジラックとしては、例えば特許文献１に開示されているスポンジラックがある。
【０００３】
文献１では、半円筒１の上部に洗剤容器受け２を設け、半円筒１の下部に受け皿３を設け、中に網４を設けその上にスポンジを置き、洗剤容器７の口部に洗剤落とし管５を付け、洗剤容器７を逆さにして洗剤容器受け２に差し込んだ、台所洗剤容器立てについて、開示する。この台所洗剤容器立てでは、網４の上にスポンジ６を置き、スポンジ６が受け皿３の底に着くように手で押せば、洗剤９がスポンジ６に浸透する、とのことである。
【先行技術文献】
【特許文献】
【０００４】
【特許文献１】実開平５−８４２３４号公報
【考案の概要】
【考案が解決しようとする課題】
【０００５】
文献１の台所洗剤容器立てでは、スポンジを載置する網４は、受け皿３に対して上下方向に可動するようには構成されていない。したがって、スポンジ６に洗剤９を浸透させる場合には、ある程度強い力でスポンジ６を下方へ押し付けてスポンジ６に洗剤９を浸透させる必要があった。さらに、上記のような構造では、スポンジ６に浸透させる洗剤の量を調節することが難しいという問題もあった。
【０００６】
本考案は上記課題に鑑みてなされたものであり、スポンジを載置したスポンジ載置プレートを上下動可能に支持することにより、スポンジに容易に洗剤を浸透させることが可能なスポンジラックを提供することにある。
【課題を解決するための手段】
【０００７】
本考案は、洗剤を含む液体を収容可能な深さを有する容器形状をしたラック本体と、ラック本体内に収容されると共に、スポンジ載置面とその反対面とを連通させる少なくとも一つの開口部が形成されたスポンジ載置プレートと、ラック本体の底壁とスポンジ載置プレートとの間に設けられて、スポンジ載置プレートをラック本体の深さ方向に移動可能に支持する弾性部材と、を備えていることを特徴としている。
【０００８】
上記構成により、スポンジ載置プレートに押下力を加えると弾性部材の弾性力に抗してスポンジ載置プレートを容易にラック本体の深さ方向に移動させることが可能となることから、スポンジ載置プレート上のスポンジに洗剤を容易に浸透させることができ、さらに、スポンジ載置プレートの押し加減によってスポンジへの洗剤の浸透量を調節することが可能となる。また、非押下時には、ラック本体の底壁とスポンジ載置プレートとの間に設けられた弾性部材によって、ラック本体内の洗剤とスポンジ載置プレート上のスポンジとが隔離されるため、スポンジ載置プレート上のスポンジを乾燥させることができる。
【０００９】
好ましくは、弾性部材は、円弧状の板バネであることを特徴としている。
【００１０】
上記構成によれば、押下時にスポンジ載置プレートが傾くことを極力抑え、スポンジ載置プレートがラック本体の底壁と略平行状態を保ったままラック本体の深さ方向へ移動させることが可能となる。
【００１１】
好ましくは、ラック本体は、透明または半透明であることを特徴としている。
【００１２】
上記構成によれば、ラック本体内の洗剤の減り具合を外部から容易に視認することができる。
【００１３】
好ましくは、ラック本体の外面には、吸盤が備えられていることを特徴としている。
【００１４】
上記構成によれば、スポンジラックを例えば流し台の壁面などに固定して使用することができる。
【考案の効果】
【００１５】
本考案によれば、スポンジを載置したスポンジ載置プレートを上下動可能に支持することにより、スポンジに容易に洗剤を浸透させることができる。また、スポンジ載置プレートの押し加減によってスポンジへの洗剤の浸透量を調節することが可能となる。また、片手でスポンジに洗剤を吸着させることができるようになるため、従来のように一方の手にスポンジを持ち、もう一方の手に洗剤を持ってスポンジに洗剤を吸着させるようなことがなくなり、食器洗い等の時間を短縮することができる。また、非押下時には、弾性部材によってラック本体内の洗剤とスポンジ載置プレートとが隔離されているため、スポンジ載置プレート上のスポンジを乾燥させることができる。また、ラック本体に洗剤を含む液体を収容させておくことが可能であることから、詰め替え用洗剤を購入すれば足り、容器入り洗剤が不要となるため、環境に優しい。また、従来は流し台周りに置かれていた洗剤容器が不要となることから流し台周りが散らかることなくすっきりすると共に、その分流し台周りの利用可能スペースが広くなる。
【図面の簡単な説明】
【００１６】
【図１】本考案のスポンジラックとスポンジとを示す全体斜視図である。
【図２】スポンジ載置プレートと弾性部材との分解斜視図である。
【図３】（ａ）はスポンジ載置プレートに押下力を及ぼしていない状態を表す図１のＡ−Ａ線での断面図であり、（ｂ）はスポンジ載置プレートを下方へ押し下げ、洗剤の液面がスポンジ載置プレートの上面より上にある状態を表す図１のＡ−Ａ線での断面図である。
【図４】省スペース型のスポンジラックとスポンジとを示す全体斜視図である。
【図５】ラック本体の外壁にＵ字状ラックを取り付けた状態を表す全体斜視図である。
【図６】ラック本体の底壁にワイヤラックを取り付けた状態を表す全体斜視図である。
【考案を実施するための形態】
【００１７】
本考案のスポンジラックを図を参照しながら説明する。
【００１８】
図１に示すように、スポンジラック１は、ラック本体２と、スポンジ３を載置するためのスポンジ載置プレート４と、スポンジ載置プレート４と一体化した弾性部材５と、を備えている。
【００１９】
ラック本体２は、内部に洗剤を収容するための容器であり、上方が開口した略直方体形状をしている。このラック本体２の形状は略直方体形状に限られず、スポンジ３の形状に合わせて適宜決定すればよい。また、ラック本体２の材質は特に限定されないが、成形性やコストなどの観点から樹脂製が好ましく、さらには透明または半透明であることが好ましい。ラック本体２が透明または半透明であれば、洗剤の減り具合を外部から容易に視認できるため、洗剤の補充時期を容易に知ることができる。
【００２０】
スポンジ載置プレート４は、ラック本体２に収納可能な大きさの板状部材で構成されており、その上面はスポンジ３を載置するためのスポンジ載置面４ａとなる。スポンジ載置プレート４には、スポンジ載置面４ａと、スポンジ載置面４ａの反対面（下面）４ｂとを連通させる複数の四角形状の開口部４ｃが貫通形成されている。
【００２１】
図２に示すように、スポンジ載置面４ａの反対面４ｂには、弾性部材５が取り付けられている。本実施形態では、弾性部材５は、上に凸となった円弧帯状部と、その円弧帯状部と連続しかつ下に凸となった円弧状の両脚とからなる一つの板バネ５ａで構成されており、スポンジ載置プレート４の反対面４ｂ中央部と板バネ５ａの頂面中央部とがねじ６によって連結されている。この板バネ５ａの幅Ｗは、ラック本体２の長手方向の内壁に接触しない程度の幅であり、板バネ５ａの長さＬは、板バネ５ａの両脚が互いに離れる方向に最も伸びたときにラック本体２の短手方向の内壁に接触しない程度の長さである。そして、板バネ５ａの両脚がラック本体２の底壁上に載置されることで、スポンジ載置プレート４は、ラック本体２内に収容される。本実施形態のように弾性部材５として板バネ５ａを用いることで、スポンジ載置プレート４に押下力を加えたときに、その押下力の作用点がスポンジ載置プレート４の中心点（ねじ６の位置）から若干ずれたときでも、スポンジ載置プレート４が傾くことを極力抑え、ラック本体２の底壁と略平行状態を保ったまま押下げることができる。さらに、弾性部材５が板バネ５ａであれば、弾性部材５は一つの板バネ５ａのみで構成することができるため、複数の弾性部材を用いる必要がない。
【００２２】
ラック本体２の外壁には、吸盤７を備えている。吸盤７を備えていることにより、例えば流し台の壁面にスポンジラック１を取り付けることが可能となる。本実施形態では、ラック本体２の外壁に２つの吸盤７を備えた場合を示しているが、吸盤７の数、大きさおよび取付位置は、スポンジラック１の大きさや、スポンジラック１を取り付ける場所に応じて適宜決定すればよい。
【００２３】
図３（ａ）および（ｂ）を参照しながら、スポンジ載置プレート４の移動過程について説明する。スポンジ載置プレート４に押下力を加えると、板バネ５ａの両脚が互いに離れる方向に伸びてスポンジ載置プレート４が下方へ移動する。スポンジ載置プレート４をラック本体２内に収容されている洗剤の液面よりも下方へ押し下げると、洗剤が、スポンジ載置プレート４の外周端面とラック本体２の内壁との隙間、およびスポンジ載置プレート４の開口部４ｃを通過してスポンジ載置面４ａ側に移動し、スポンジ載置プレート４上に載置されているスポンジ３に洗剤が浸透することになる。このとき、スポンジ載置プレート４への押下力を調節することで、スポンジ載置プレート４の下方への移動量を調節し、スポンジ３への洗剤の浸透量を調節することができる。そして、スポンジ載置プレート４への押下力を除荷すると、板バネ５ａの復元力により、スポンジ載置プレート４は初期位置（図３（ａ））に戻る。スポンジ載置プレート４が初期位置に戻ったとき、すなわちスポンジ載置プレート４に押下力が加わっていないときには、スポンジ載置プレート４とラック本体２内の洗剤とが隔離されているため、スポンジ載置プレート４上のスポンジ３を乾燥させることができる。
【００２４】
［他の実施形態］
上記実施形態では、ラック本体２が平面視において略長方形状の場合について記載したが、省スペース型のスポンジラック１として、図４に示すように、ラック本体２が平面視において略正方形状となるように構成することもできる。すなわち、図１のラック本体２と比較して、ラック本体２の幅および奥行きを小さくし、深さ（高さ）を大きくするよう構成することもできる。この場合、スポンジ３は、その長手方向が鉛直方向を向くようにしてスポンジ載置プレート４上に載置されることになる。
【００２５】
スポンジラック１は、図５や図６にそれぞれ示すようなＵ字状ラック８やワイヤラック９を備えていてもよい。これらのＵ字状ラック８やワイヤラック９をラック本体２に取り付けることで、予備のスポンジや台所用品を当該補助ラック８、９内に収納することができる。
【００２６】
スポンジ載置プレート４の開口部４ｃは、小穴が複数設けられている構成のほか、大穴が一つだけ設けられている構成であってもよい。
【００２７】
開口部４ｃの形状は四角形状に限定されず、三角形や五角形などの多角形状、円形や長穴形状などであってもよい。
【００２８】
スポンジ載置プレート４にスポンジ載置面４ａとその反対面４ｂとを連通させる開口部４ｃを設けるのではなく、スポンジ載置プレート４の四隅にスポンジ載置面４ａとその反対面４ｂとをつなぐ凹部を開口部として設けてもよい。
【００２９】
弾性部材５は、板バネ５ａに限らずコイルバネであってもよい。
【００３０】
本考案は上記実施の形態に限定されるものではなく、その要旨を逸脱しない範囲で適宜変更可能である。
【符号の説明】
【００３１】
１    スポンジラック
２    ラック本体
３    スポンジ
４    スポンジ載置プレート
４ａ  スポンジ載置面
４ｂ  スポンジ載置面の反対面（下面）
４ｃ  開口部
５    弾性部材
５ａ  板バネ
６    ねじ
７    吸盤
８    Ｕ字状ラック
９    ワイヤラック
【図１】
0003188585.tif 000003
【図２】
0003188585.tif 000004
【図３】
0003188585.tif 000005
【図４】
0003188585.tif 000006
【図５】
0003188585.tif 000007
【図６】
0003188585.tif 000008